(57)【特許請求の範囲】
【請求項１】
側壁を備えている建屋の建設方法において、
前記側壁の設置領域から、水平面に沿った方向で且つ設置後の該側壁に沿った方向へ離間した仮設領域まで延びるレールを設置するレール設置工程と、
前記レール上の前記仮設領域で、前記側壁の少なくとも一部を移送単位として作製する移送単位作製工程と、
前記仮設領域で作製された前記移送単位を前記レールに沿って前記設置領域へ移送する移送工程と、
を実施し、
前記建屋は、互いに平行に対向する一対の第一側壁と、該一対の第一側壁の一方の第一側壁から他方の第一側壁にわたされた屋根と、前記一対の第一側壁の側端相互を連結し且つ互いに対向する一対の第二側壁と、を備えており、
前記レール設置工程では、前記一対の第一側壁に対して、水平面に沿った方向で且つ設置後の前記第一側壁に沿った第一方向へ離間した第一仮設領域まで延びる第一レールを設置すると共に、前記一対の第二側壁の少なくとも一方の第二側壁に対して、水平面に沿い且つ前記第一方向と交差する方向で設置後の前記第二側壁に沿った第二方向へ離間した第二仮設領域まで延びる第二レールを設置し、
前記移送単位作製工程では、前記第一仮設領域上の前記第一レール上で、前記一対の第一側壁及び前記屋根のそれぞれの少なくとも一部を第一移送単位として作製すると共に、前記第二仮設領域上の第二レール上で、前記一対の第二側壁の少なくとも前記一方の側壁の少なくとも一部を第二移送単位として作製し、
前記移送工程では、前記第一仮設領域で作製された前記第一移送単位を前記第一レールに沿って該第一移送単位の設置領域へ移送し、前記第二仮設領域で作製された前記第二移送単位を前記第二レールに沿って該第二移送単位の設置領域へ移送する、
ことを特徴とする建屋の建設方法。
【請求項２】
請求項１に記載の建屋の建設方法において、
前記レール設置工程では、前記一方の第一側壁に関する前記設置領域から前記第一仮設領域まで延びる前記第一レールとしての一方の第一レールと、前記他方の第一側壁に関する前記設置領域から前記第一仮設領域まで延びる前記第一レールとしての他方の第一レールとを設置し、
前記移送単位作製工程では、前記一方の第一レール上の前記第一仮設領域で、前記一方の第一側壁の下端から上端までを含む少なくとも一部である一方の第一移送壁単位を作製すると共に、前記他方の第一レール上の前記第一仮設領域で、前他方の第一側壁の下端から上端までを含む少なくとも一部である他方の第一移送壁単位を作製する移送壁単位作製工程と、前記一方の第一移送壁単位から前記他方の第一移送壁単位に、前記屋根の少なくとも一部を成す移送屋根単位をわたす移送屋根単作製工程と、を実行し、
前記移送工程では、前記一方の第一移送壁単位と前記他方の第一移送壁単位と前記移送屋根単位とを前記第一移送単位として一体的にそれぞれの前記設置領域へ移送させる、
ことを特徴とする建屋の建設方法。
【請求項３】
請求項２に記載の建屋の建設方法において、
前記移送単位作製工程では、前記一方の第一レール上の前記第一仮設領域で、前記一方の第一側壁の下端から上端までを含み且つ該一方の第一側壁の一部である前記一方の第一移送壁単位を作製すると共に、前記他方の第一レール上の前記第一仮設領域で、前他方の第一側壁の下端から上端までを含み且つ該他方の第一側壁の一部である他方の第一移送壁単位を作製する移送壁単位作製工程と、前記一方の第一移送壁単位から前記他方の第一移送壁単位に、前記屋根の一部を成す移送屋根単位をわたす移送屋根単位作製工程と、を繰り返して実行して、前記一方の第一側壁を構成する全ての前記一方の第一移送壁単位と、前記他方の第一側壁を構成する全ての前記他方の第一移送壁単位と、前記屋根を構成する全ての前記移送屋根単位とを作製し、
前記移送工程では、前記一方の第一移送壁単位と前記他方の第一移送壁単位と前記移送屋根単位とが作製される毎に、これらを前記第一移送単位として一体的にそれぞれの前記設置領域側へ段階的に移送させる、
ことを特徴とする建屋の建設方法。
【請求項４】
請求項１から３のいずれか一項に記載の建屋の建設方法において、
前記レール設置工程前に、前記側壁の前記設置領域に該側壁の基礎を形成する基礎形成工程を実施し、
前記レール設置工程では、前記基礎上に前記レールを設置し、
前記移送工程後に、前記基礎上の前記レールを撤去して、該移送工程で移送した前記移送単位を該基礎に固定する移送単位固定工程を実行する、
ことを特徴とする建屋の建設方法。
【請求項５】
請求項１から４のいずれか一項に記載の建屋の建設方法において、
前記移送単位作製工程前に、前記仮設領域で作製される前記移送単位を支える支保工を設ける支保工設置工程を、
実施することを特徴とする建屋の建設方法。
【請求項６】
請求項１から５のいずれか一項に記載の建屋の建設方法において、
前記側壁は、複数の壁ブロックを組み合わせて構成されており、
前記移送単位作製工程では、予め作製されている複数の前記壁ブロックを組み合わせて、前記側壁の前記移送単位を作製する、
ことを特徴とする建屋の建設方法。
【請求項７】
請求項６に記載の建屋の建設方法において、
前記壁ブロックは、互いに平行に対向する一対のスキンパネルと、一対のスキンパネル相互連結するフランジとを有するダブルスキン構造体である、
ことを特徴とする建屋の建設方法。
【発明の詳細な説明】
【技術分野】
【０００１】
本発明は、側壁を備えている建屋の建設方法に関する。
【背景技術】
【０００２】
側壁を備えている建屋の建設方法として、従来から各種方法が提案されている。これらの多くの方法は、例えば、以下の特許文献１に記載の方法に代表されるように、側壁の設置領域の屋内側及び屋外側のそれぞれに広い作業領域を確保し、これらの作業領域内で作業することで、設置領域に側壁を作製している。
【先行技術文献】
【特許文献】
【０００３】
【特許文献１】特許第３０７２０６６号公報
【発明の概要】
【発明が解決しようとする課題】
【０００４】
しかしながら、上記特許文献１に記載の方法に代表されるような方法では、建屋の設置環境等によって、側壁の設置領域の屋内側及び屋外側のそれぞれに広い作業領域を確保できない場合があると、建屋を建設することができない、という問題点がある。
【０００５】
そこで、本発明では、側壁の設置領域の屋内側及び屋外側のそれぞれに広い作業領域を確保できない場合でも、建屋を建設できる建設方法を提供することを目的とする。
【課題を解決するための手段】
【０００６】
上記問題点を解決するための発明に係る建屋の建設方法は、
建屋の側壁の設置領域から、水平面に沿った方向で且つ設置後の該側壁に沿った方向へ離間した仮設領域まで延びるレールを設置するレール設置工程と、前記レール上の前記仮設領域で、前記側壁の少なくとも一部を移送単位として作製する移送単位作製工程と、前記仮設領域で作製された前記移送単位を前記レールに沿って前記設置領域へ移送する移送工程と、を実施し、
前記建屋は、互いに平行に対向する一対の第一側壁と、該一対の第一側壁の一方の第一側壁から他方の第一側壁にわたされた屋根と、前記一対の第一側壁の側端相互を連結し且つ互いに対向する一対の第二側壁と、を備えており、前記レール設置工程では、前記一対の第一側壁に対して、水平面に沿った方向で且つ設置後の前記第一側壁に沿った第一方向へ離間した第一仮設領域まで延びる第一レールを設置すると共に、前記一対の第二側壁の少なくとも一方の第二側壁に対して、水平面に沿い且つ前記第一方向と交差する方向で設置後の前記第二側壁に沿った第二方向へ離間した第二仮設領域まで延びる第二レールを設置し、前記移送単位作製工程では、前記第一仮設領域上の前記第一レール上で、前記一対の第一側壁及び前記屋根のそれぞれの少なくとも一部を第一移送単位として作製すると共に、前記第二仮設領域上の第二レール上で、前記一対の第二側壁の少なくとも前記一方の側壁の少なくとも一部を第二移送単位として作製し、前記移送工程では、前記第一仮設領域で作製された前記第一移送単位を前記第一レールに沿って該第一移送単位の設置領域へ移送し、前記第二仮設領域で作製された前記第二移送単位を前記第二レールに沿って該第二移送単位の設置領域へ移送することを特徴とする。
【０００７】
当該建設方法では、側壁をレール上の仮設領域で作製した後、側壁をレールに沿ってこれらの設置領域まで移送するため、側壁の設置領域の屋内側及び屋外側のそれぞれに広い作業領域を確保できなくても、建屋を建設することができると共に、側壁の設置領域の近傍での作業時間を短くすることができる。より詳細には、当該建設方法では、第一側壁及び第二側壁を各レール上の仮設領域で作製した後、各側壁をレールに沿ってこれらの設置領域まで移送するため、各側壁の設置領域の屋内側及び屋外側のそれぞれに広い作業領域を確保できなくても、建屋を建設することができる。
【０００８】
ここで、前記建屋の建設方法において、前記レール設置工程では、前記一方の第一側壁に関する前記設置領域から前記第一仮設領域まで延びる前記第一レールとしての一方の第一レールと、前記他方の第一側壁に関する前記設置領域から前記第一仮設領域まで延びる前記第一レールとしての他方の第一レールとを設置し、前記移送単位作製工程では、前記一方の第一レール上の前記第一仮設領域で、前記一方の第一側壁の下端から上端までを含む少なくとも一部である一方の第一移送壁単位を作製すると共に、前記他方の第一レール上の前記第一仮設領域で、前他方の第一側壁の下端から上端までを含む少なくとも一部である他方の第一移送壁単位を作製する移送壁単位作製工程と、前記一方の第一移送壁単位から前記他方の第一移送壁単位に、前記屋根の少なくとも一部を成す移送屋根単位をわたす移送屋根単作製工程と、を実行し、前記移送工程では、前記一方の第一移送壁単位と前記他方の第一移送壁単位と前記移送屋根単位とを前記第一移送単位として一体的にそれぞれの前記設置領域へ移送させてもよい。
【０００９】
この場合、前記移送単位作製工程では、前記一方の第一レール上の前記第一仮設領域で、前記一方の第一側壁の下端から上端までを含み且つ該一方の第一側壁の一部である前記一方の第一移送壁単位を作製すると共に、前記他方の第一レール上の前記第一仮設領域で、前他方の第一側壁の下端から上端までを含み且つ該他方の第一側壁の一部である他方の第一移送壁単位を作製する移送壁単位作製工程と、前記一方の第一移送壁単位から前記他方の第一移送壁単位に、前記屋根の一部を成す移送屋根単位をわたす移送屋根単位作製工程と、を繰り返して実行して、前記一方の第一側壁を構成する全ての前記一方の第一移送壁単位と、前記他方の第一側壁を構成する全ての前記他方の第一移送壁単位と、前記屋根を構成する全ての前記移送屋根単位とを作製し、前記移送工程では、前記一方の第一移送壁単位と前記他方の第一移送壁単位と前記移送屋根単位とが作製される毎に、これらを前記第一移送単位として一体的にそれぞれの前記設置領域側へ段階的に移送させてもよい。
【００１０】
当該建設方法では、移送壁単位を移送する際、設置領域側に側壁の転倒防止部材（支保工）を設置することのできない作業環境であっても、一対の移送壁単位と移送屋根単位とが一体になった状態で移送できるため、移送壁単位を比較的容易に安定移送することができる。
【００１３】
また、前記建屋の建設方法において、前記レール設置工程前に、前記側壁の前記設置領域に該側壁の基礎を形成する基礎形成工程を実施し、前記レール設置工程では、前記基礎上に前記レールを設置し、前記移送工程後に、前記基礎上の前記レールを撤去して、該移送工程で移送した前記移送単位を該基礎に固定する移送単位固定工程を実行してもよい。
【００１４】
当該建設方法では、側壁を安定固定することができる。
【００１５】
また、前記建屋の建設方法において、前記移送単位作製工程前に、前記仮設領域で作製される前記移送単位を支える支保工を設ける支保工設置工程を実施してもよい。
【００１６】
当該建設方法では、レール上であっても、移送単位を安定した状態で作製することができる。
【００１７】
また、前記建屋の建設方法において、前記側壁は、複数の壁ブロックを組み合わせて構成されており、前記移送単位作製工程では、予め作製されている複数の前記壁ブロックを組み合わせて、前記側壁の前記移送単位を作製してもよい。
【００１８】
当該建設方法では、側壁を構成する部品（壁ブロック）の仮設領域への搬送性を高めることができると共に、レール上の仮設領域での施工性を高めることができる。
【００１９】
また、前記建屋の建設方法において、前記壁ブロックは、互いに平行に対向する一対のスキンパネルと、一対のスキンパネル相互連結するフランジとを有するダブルスキン構造体であってもよい。
【００２０】
当該建設方法では、壁ブロックの剛性向上及び軽量化の両立を図ることができる。
【発明の効果】
【００２１】
本発明では、側壁の設置領域の屋内側及び屋外側のそれぞれに広い作業領域を確保できなくても、建屋を建設することができる上に、側壁の設置領域の近傍での作業時間をきわめて短くすることができる。
【図面の簡単な説明】
【００２２】
【図１】本発明に係る一実施形態における第二移送単位の作製中の建屋の斜視図である。
【図２】本発明に係る一実施形態における建屋の基礎形成、レール設置及びベント設置後のこれらの平面図である。
【図３】本発明に係る一実施形態における建屋の基礎形成、レール設置及びベント設置後のこれらの斜視図である。
【図４】本発明に係る一実施形態における移送側壁単位の作製中の移送側壁単位等の斜視図である。
【図５】本発明に係る一実施形態における移送屋根単位の作製中の移送側壁単位及び移送屋根単位等の斜視図である。
【図６】本発明に係る一実施形態における第一移送単位の作製後の第一移送単位等の平面図である。
【図７】本発明に係る一実施形態における第二移送単位の作製後の第一及び第二移送単位等の平面図である。
【図８】本発明に係る一実施形態における第一、第二及び第三移送単位、さらに第一移送妻壁単位の作製後のこれらの平面図である。
【図９】本発明に係る一実施形態における第三移送妻壁単位の作成中の建屋の斜視図である。
【図１０】本発明に係る一実施形態における（−）Ｘ側の妻壁の作製中の建屋の斜視図である。
【図１１】本発明に係る一実施形態における建屋の斜視図である。
【図１２】本発明に係る一実施形態における壁ブロックの要部斜視図である。
【図１３】本発明に係る一実施形態における同一壁を構成する壁ブロック相互の接続構造を示す説明図である。
【図１４】本発明に係る一実施形態における側壁を構成する壁ブロックと妻壁を構成する壁ブロックとの接続構造を示す説明図である。
【図１５】本発明に係る一実施形態におけるレール、壁及び横移動ジャッキの側面図である。
【図１６】図１５におけるＸＶI矢視図である。
【図１７】本発明に係る一実施形態におけるレール撤去中のレール、壁及びこの壁の基礎の正面図である。
【図１８】本発明に係る一実施形態における固定後の壁及びこの壁の基礎の要部切欠正面図である。
【図１９】本発明に係る一実施形態における建屋の建設手順を示すフローチャートである。
【発明を実施するための形態】
【００２３】
以下、本発明に係る建屋の建設方法の一実施形態について、図面を参照して詳細に説明する。
【００２４】
本実施形態の建屋Ｈは、図１１に示すように、被対象物１の周囲を壁７０，８０及び屋根９０で覆う建屋Ｈである。このため、この建屋Ｈを建設する際には、建屋Ｈの壁７０の設置領域の屋内側及び屋外側のそれぞれに広い作業領域を確保できないばかりか、この設置領域の近傍での作業時間を極力短くする必要がある。
【００２５】
この建屋Ｈは、互いに平行に対向する一対の側壁７０（第一側壁）と、一対の側壁７０の側端相互を連結し且つ互いに平行に対向する一対の妻壁８０（第二側壁）と、一対の側壁７０及び一対の妻壁８０で囲まれた領域の上部を覆う屋根９０と、を備えている。なお、以下の説明の都合上、一対の妻壁８０のうち、一方の妻壁８０から他方の妻壁８０へ向う方向を（＋）Ｘ方向とし、逆方向を（−）Ｘ方向とする。また、一対の側壁７０のうち、一方の側壁７０から他方の側壁７０へ向う方向を（＋）Ｙ方向とし、逆方向を（−）Ｙ方向とする。また、上方向を（＋）Ｚ方向、下方向を（−）Ｚ方向とする。
【００２６】
側壁７０及び妻壁８０は、いずれも、複数の壁ブロック５０を組み合わせて構成されている。具体的に、本実施形態の側壁７０は、Ｘ方向に３つの壁ブロック５０を並べ、Ｚ方向にも３つの壁ブロック５０を並べたもので、合計９つの壁ブロック５０を組み合わせたものである。また、本実施形態の妻壁８０は、Ｙ方向に３つの壁ブロック５０を並べ、Ｚ方向にも３つの壁ブロック５０を並べたもので、合計９つの壁ブロック５０を組み合わせたものである。
【００２７】
壁ブロック５０は、図１２に示すように、互いに平行に対向している一対の矩形状のスキンパネル５１と、一対のスキンパネル５１相互を連結する複数のフランジ５２,５３,５６と、を有している。これらスキンパネル５１及びフランジ５２,５３,５６は、いずれも鋼板で形成されている。一対のスキンパネル５１の上端の相互間は、複数のフランジ５２,５３,５６のうちの天面フランジ５３により塞がれている。また、一対のスキンパネル５１の下端の相互間は、複数のフランジ５２,５３,５６のうちの底面フランジ５６により塞がれている。天面フランジ５３及び底面フランジ５６には、いずれも、Ｚ方向に貫通した複数の開口５４が形成されている。
【００２８】
壁ブロック５０の天面フランジ５３には、（＋）Ｚ方向に突出した複数のボルト５５が設けられている。また、壁ブロック５０の底面フランジ５６には、この底面フランジ５６と他の壁ブロック５０の天面フランジ５３とを対向させた際に、他の壁ブロック５０の天面フランジ５３のボルト５５が挿通するボルト孔５７が形成されている。
【００２９】
次に、図１９に示すフローチャートに従って、本実施形態の建屋Ｈの建設手順について説明する。
【００３０】
まず、図２に示すように、建屋Ｈの建設に必要な基礎１１〜１４を形成する（Ｓ１）。この基礎１１〜１４には、一対の側壁７０のそれぞれの設置領域に設けたＸ方向に延びる側壁基礎１１と、一対の妻壁８０のそれぞれの設置領域に設けたＹ方向に延びる妻壁基礎１３と、一対の側壁基礎１１のそれぞれから（−）Ｘ方向に延びる側壁仮設基礎１２と、（＋）Ｘ側の妻壁基礎１３から（−）Ｙ方向に延びる妻壁仮設基礎１４と、がある。
【００３１】
側壁仮設基礎１２のＸ方向の長さは、本実施形態では、図７に示すように、壁ブロック５０の横幅のほぼ２倍の長さである。また、妻壁仮設基礎１４のＹ方向の長さは、図８に示すように、壁ブロック５０の横幅の１倍強の長さである。
【００３２】
次に、図２に示すように、建屋Ｈの基礎１１〜１４の上にレール１５，１６を設置する（Ｓ２）。レール１５，１６としては、側壁基礎１１及びこれに連なる側壁仮設基礎１２のほぼ全体に渡ってＸ方向に延びる側壁用レール１５と、（＋）Ｘ側の妻壁基礎１３及びこれに連なる妻壁仮設基礎１４のほぼ全体に渡ってＹ方向に延びる妻壁用レール１６とがある。側壁用レール１５は、一対の側壁基礎１１のうちの（＋）Ｙ側の側壁基礎１１及びこの側壁基礎１１に連なる（＋）Ｙ側の側壁仮設基礎１２上に、互いに平行に２本設置され、（−）Ｙ側の側壁基礎１１及びこの側壁基礎１１に連なる（−）Ｙ側の側壁仮設基礎１２上に、互いに平行に２本設置される。よって、本実施形態では、合計４本の側壁用レール１５が設置さる。また、妻壁用レール１６は、（＋）Ｘ側の妻壁基礎１３及びこれに連なる妻壁仮設基礎１４上に、互いに平行に２本設置さている。
【００３３】
これらレール１５，１６は、図１５及び図１６に示すように、いずれのＨ型鋼で形成されている。Ｈ型鋼は、その互いに対向する一対のフランジがＺ方向に並び、一対のフランジ間のウェブが上下方向に延びるよう、基礎１１〜１４の上に設置されている。
【００３４】
次に、図２及び図３に示すように、支保工としてのベント２１，２２及び外部足場２５を設置する（Ｓ３）。ベント２１，２２及び外部足場２５は、その高さが側壁７０の高さ（＝妻壁８０の高さ）とほぼ同じである。ベント２１，２２は、複数の柱と複数の柱相互を接続する複数の梁とで、直方体形状に形成されたものである。ベント２１，２２の柱及び梁は、いずれも、複数の鋼材を互いに接合して形成されたものである。ベント２１，２２には、側壁用ベント２１と妻壁用ベント２２とがある。側壁用ベント２１は、一対の側壁仮設基礎１２の間に設置される。この側壁用ベント２１は、図７に示すように、そのＸ方向の長さが壁ブロック５０の横幅の２倍弱の長さで、そのＹ方向の長さが壁ブロック５０の横幅の３倍弱の長さである。また、妻壁用ベント２２は、（＋）Ｘ側の妻壁基礎１３の（＋）Ｘ側に設置さレール１５，１６。この妻壁用ベント２２は、図８に示すように、そのＸ方向の長さが壁ブロック５０の横幅の１倍弱の長さで、そのＹ方向の長さが壁ブロック５０の横幅の２倍弱の長さである。
【００３５】
外部足場２５は、（＋）Ｙ側の側壁仮設基礎１２の（＋）Ｙ側及び（−）Ｙ側の側壁仮設基礎１２の（−）Ｙ側に、それぞれ側壁仮設基礎１２に沿うよう設置されている。
【００３６】
次に、一対の側壁仮設基礎１２上に設置されている側壁用レール１５上であって、側壁基礎１１から（−）Ｘ側に離間した領域内、言い換えると、側壁用レール１５上の側壁７０の仮設領域内で、図４に示すように、移送側壁単位７１を作製する（Ｓ４ａ）。この移送側壁単位７１は、壁ブロック５０をＺ方向に３つ並べて相互に接続したものである。
【００３７】
この移送側壁単位７１の作製（Ｓ４ａ）では、まず、図１５及び図１６に示すように、一対の側壁仮設基礎１２上に設置されている側壁用レール１５上に横移動ジャッキ３０を設置する。この横移動ジャッキ３０は、側壁用レール１５に対して相対移動不能に側壁用レール１５を挟持するクランプ３１と、側壁用レール１５に対して摺動可能なスライドベース３３と、クランプ３１とスライドベース３３とをつなぎ且つ両者の間隔を変える油圧シリンダ３２と、を有している。スライドベース３３は、側壁用レール１５を形成するＨ型鋼の上側のフランジの上面に接する樹脂シート（例えば、フッ素樹脂）３４と、この樹脂シート３４上に固定されている壁接続ベース３５と、壁接続ベース３５に取り付けられている移動ガイド３６と、を有している。移動ガイド３６は、側壁用レール１５を形成するＨ型鋼の上側のフランジを両側から挟み込めるように、壁接続ベース３５の両側に取り付けられている。
【００３８】
さらに、一対の側壁仮設基礎１２上に設置されている側壁用レール１５上に独立スライドベース（図示されていない）も設置する。この独立スライドベースは、横移動ジャッキ３０の構成要素であるスライドベース３３と基本的に同じものである。
【００３９】
次に、側壁用レール１５上の横移動ジャッキ３０のスライドベース３３上及び独立スライドベース上に、１つの壁ブロック５０を置く。この壁ブロック５０は、移送側壁単位７１を構成する３つの壁ブロック５０のうち、最下段の壁ブロック５０を成す。この最下段の壁ブロック５０の下端には、Ｈ型鋼等で形成された壁ベース６１が取り付けられている。また、側壁用レール１５が延びている方向（Ｘ方向）に対して垂直な方向（Ｙ方向）における、壁ベース６１の両側にＨ型鋼等で形成されたジャッキアップ補助材６２がボルト等で取り付けられている。
【００４０】
次に、この最下段の壁ブロック５０が倒れないよう、この壁ブロック５０と側壁用ベント２１とをタイバー等を用いて、両者を仮接続する。
【００４１】
次に、図４に示すように、最下段の壁ブロック５０の上に、二段目の壁ブロック５０を置き、両者を接続する。この際、図１２に示すように、二段目の壁ブロック５０の底面フランジ５６に形成されているボルト孔５７に、最下段の壁ブロック５０の天面フランジ５３に設けられているボルト５５を挿通させ、このボルト５５にナット５８を捩じ込んで、最下段の壁ブロック５０と二段目の壁ブロック５０とを接続する。続いて、最下段の壁ブロック５０と同様、二段目の壁ブロック５０と側壁用ベント２１とを仮接続する。
【００４２】
次に、二段目の壁ブロック５０の上に、三段目の壁ブロック５０つまり最上段の壁ブロック５０を置き、以上と同様、壁ブロック５０相互間を接続すると共に、最上段の壁ブロック５０と側壁用ベント２１とを仮接続する。なお、この最上段の壁ブロック５０の屋内側の面中で上側には、図１に示すように、屋根９０を接続するための屋根サポート６３が取り付けられている。また、以上の最下段の壁ブロック５０の設置、二段目の壁ブロック５０の設置及び最上段の壁ブロック５０の設置は、（＋）Ｙ側の側壁仮設基礎１２上、及び（−）Ｙ側の側壁仮設基礎１２上のそれぞれで、ほぼ並行して実行する。
【００４３】
以上で、一対の移送側壁単位７１の作製が終了する。
【００４４】
次に、図５、図６及び図１に示すように、移送屋根単位９１を作製して、この移送屋根単位９１を一対の移送側壁単位７１間に渡す（Ｓ４ｂ）。この移送屋根単位９１は、一対の移送側壁単位７１間に渡される複数のトラス９２と、複数のトラス９２の上に取り付けられる複数の屋根パネル９３とを有している。複数のトラス９２は、Ｘ方向に並び且つ互いに平行に配置される。各トラス９２のＹ方向の両端は、一対の移送側壁単位７１の各最上段壁ブロック５０に設けられている屋根サポート６３に接続される。
【００４５】
以上で、移送屋根単位９１の作製が終了する。この移送屋根単位９１の作製が終了すると、一対の移送側壁単位７１と側壁用ベント２１との仮接続を断つ。なお、この移送屋根単位９１とこれに接続されている一対の移送側壁単位７１で第一移送単位１０１が構成される。また、この移送屋根単位９１の作製工程（４ａ）と一対の移送側壁単位７１の作製工程（４ｂ）で、第一移送単位１０１の作製工程（Ｓ４）を成す。
【００４６】
次に、図７に示すように、側壁用レール１５に沿って、第一移送単位１０１を側壁基礎１１側、つまり側壁７０の設置領域側（（＋）Ｘ側）に移送する（Ｓ５）。この移送量は、第一移送単位１０１の（−）Ｘ側の側壁用レール１５上に、壁ブロック５０を置ける領域を確保できる量である。
【００４７】
この移送では、側壁用レール１５上に設けた横移動ジャッキ３０（図１５，１６）の油圧シリンダ３２内にオイルを送り込んで、この横移動ジャッキ３０のクランプ３１とスライドベース３３との間を狭める。この結果、スライドベース３３上に載っている移送側壁単位７１は、横移動ジャッキ３０のクランプ３１側に、つまり（＋）Ｘ側に移動する。次に、横移動ジャッキ３０のクランプ３１による側壁用レール１５の挟持を解放し、油圧シリンダ３２内からオイルを抜きつつ、クランプ３１のみを（＋）Ｘ側に移動させてから、このクランプ３１によって再び側壁用レール１５を挟持させる。次に、先の場合と同様、油圧シリンダ３２内にオイルを送り込んで、クランプ３１とスライドベース３３との間を狭め、スライドベース３３上に載っている移送側壁単位７１を（＋）Ｘ側に移動させる。そして、以上の操作を繰り返し実行して、第一移送単位１０１を前述の移送量分だけ移送する。
【００４８】
次に、図１及び図７に示すように、第一移送単位１０１の（−）Ｘ側に、第二移送単位１０２を作製する（Ｓ６）。この際、一対の側壁仮設基礎１２上に設置されている側壁用レール１５上、言い換えると、側壁用レール１５上の側壁７０の仮設領域内であって、第一移送単位１０１の（−）Ｘ側に、新たな移送側壁単位７１を前述と基本的に同様に作製する。さらに、新たな移送側壁単位７１に対して新たな移送屋根単位９１を前述と基本的に同様に設ける。この新たな移送側壁単位７１及び新たな移送屋根単位９１で第二移送単位１０２が構成される。
【００４９】
なお、第二移送単位１０２を構成する移送側壁単位７１の作製の際には、第一移送単位１０１を構成する移送側壁単位７１の作製の際と同じ処理に加えて、第二移送単位１０２を構成する移送側壁単位７１を第一移送単位１０１を構成する移送側壁単位７１に接続する処理を行う。
【００５０】
図１３に示すように、壁ブロック５０を構成するスキンパネル５１には、その横幅方向の両端側に、壁ブロック５０の厚さ方向に貫通する複数のボルト孔５１ａが形成されている。このスキンパネル５１には、さらに、その横幅方向の一方の端側に、上下方向に延びるピン６５を介して接続プレート６６が揺動可能に接続されている。この接続プレート６６にも、スキンパネル５１と同様に厚さ方向に貫通する複数のボルト孔６６ａが形成されている。
【００５１】
前述したように、移送側壁単位７１相互を接続する際には、一方の移送側壁単位７１の壁ブロックの側端と他方の移送側壁単位７１の壁ブロック５０の側端とを突き合わせる。この際、図１３に示すように、一方の壁ブロック５０のスキンパネル５１の側端と他方の壁ブロック５０のスキンパネル５１の側端とが接する。次に、他方の壁ブロック５０の一方の側に設けられている接続プレート６６を揺動させて、両壁ブロック５０のスキンパネル５１のそれぞれに接続プレート６６を重ね合わせる。そして、この接続プレート６６のボルト孔６６ａ及び各スキンパネル５１のボルト孔５１ａにボルト５１ｂを挿通させ、このボルト５１ｂにナット５１ｃを捩じ込み、両壁ブロック５０相互を接続する。この両壁ブロック５０の接続で、移送側壁単位７１相互が接続される。
【００５２】
また、第二移送単位１０２を構成する移送屋根単位９１の作製の際には、第一移送単位１０１を構成する移送屋根単位９１の作製の際と同じ処理に加えて、第二移送単位１０２を構成する移送屋根単位９１を第一移送単位１０１を構成する移送屋根単位９１に接続する処理を行う。この移送屋根単位９１相互の接続では、各移送屋根単位９１の屋根パネル９３の一部を相互に重ね合わせて、重ね合わせた部分を接続する。
【００５３】
第二移送単位１０２の作製が終了すると（Ｓ６）、側壁用レール１５に沿って、第一移送単位１０１、この第一移送単位１０１に接続された第二移送単位１０２を側壁基礎１１側、つまり側壁７０の設置領域側（（＋）Ｘ側）に一体的に移送する（Ｓ７）。この際も、第一移送単位１０１のみを移送した際と同様に、横移動ジャッキ３０を操作して、第一移送単位及び第二移送単位１０２を移送する。なお、この際の移送量も、前述の移送の際と同様、第二移送単位１０２の（−）Ｘ側の側壁用レール１５上に、壁ブロック５０を置ける領域を確保できる量である。
【００５４】
次に、第二移送単位１０２を作製した際と同様に、第二移送単位１０２の（−）Ｘ側に、第三移送単位１０３（図８，９）を作製する（Ｓ８）。この第三移送単位１０３の作製により、一対の側壁７０及び屋根９０が完成する。
【００５５】
第三移送単位１０３の作成が終了すると（Ｓ８）、側壁用レール１５に沿って、図８及び図９に示すように、第一移送単位１０１、この第一移送単位１０１に接続された第二移送単位１０２、さらにこの第二移送単位１０２に接続された第三移送単位１０３を側壁基礎１１側、つまり側壁７０の設置領域側（（＋）Ｘ側）に一体的に移送する（Ｓ９）。この際も、ステップ５及びステップ７での移送と同様に、横移動ジャッキ３０を操作して、第一移送単位１０１、第二移送単位１０２及び第三移送単位１０３を移送する。この移送で、第一移送単位１０１、第二移送単位１０２及び第三移送単位１０３の各移送側壁単位７１は、いずれも、側壁用レール１５上のそれぞれの設置領域に移送される。なお、ここでは、説明の都合上、この段階で、第一移送単位１０１、第二移送単位１０２及び第三移送単位１０３の各移送側壁単位７１が、側壁用レール１５上のそれぞれの設置領域に移送されることにしているが、後述するように、実際には、（＋）Ｘ側の妻壁が完成した後、第一移送単位１０１、第二移送単位１０２及び第三移送単位１０３の各移送側壁単位７１は、側壁用レール１５上のそれぞれの設置領域に移送されることになる。
【００５６】
次に、妻壁仮設基礎１４上に設置されている妻壁用レール１６上で、妻壁基礎１３から（−）Ｙ側に離間した領域内、言い換えると、妻壁用レール１６上の妻壁８０の仮設領域内で、第一移送妻壁単位１１１を作製する（Ｓ１０）。この第一移送妻壁単位１１１も、移送側壁単位７１と同様、壁ブロック５０をＺ方向に３つ並べて相互に接続したものである。
【００５７】
この第一移送妻壁単位１１１の作製でも、まず、妻壁仮設基礎１４上に設置されている妻壁用レール１６上に、横移動ジャッキ３０及び独立スライドベース３３を設置する。そして、移送側壁単位７１の作製の際と同様に、妻壁用レール１６上の横移動ジャッキ３０及び独立スライドベース３３の上に、３つの壁ブロック５０を順次積み上げて、第一移送妻壁単位１１１を作製する。
【００５８】
第一移送妻壁単位１１１の作製が終了すると（Ｓ１０）、移送側壁単位７１の移送の際と同様、妻壁用レール１６に沿って、第一移送妻壁単位１１１を妻壁基礎１３側、つまり妻壁８０の設置領域側（（＋）Ｙ側）に移送する（Ｓ１１）。
【００５９】
次に、第一移送妻壁単位１１１の（−）Ｙ側に、第二移送妻壁単位１１２を作製する（Ｓ１２）。この際、妻壁仮設基礎１４上に設置されている妻壁用レール１６上、言い換えると、妻壁用レール１６上の妻壁８０の仮設領域内であって、第一移送妻壁単位１１１の（−）Ｙ側に、第二移送妻壁単位１１２を作製する。この第二移送妻壁単位１１２の作製の際にも、前述の第二移送単位１０２を構成する移送側壁単位７１の作製の際と同様、第一移送妻壁単位１１１に第二移送妻壁単位１１２を接続する。
【００６０】
第二移送妻壁単位１１２の作製が終了すると（Ｓ１２）、移送側壁単位７１の移送の際と同様、妻壁用レール１６に沿って、第一移送妻壁単位１１１及び第二移送妻壁単位１１２を一体的に（＋）Ｙ側に移送する（Ｓ１３）。
【００６１】
次に、第二移送妻壁単位１１２の（−）Ｙ側に、第三移送妻壁単位１１３を作製する（Ｓ１４）。この第三移送妻壁単位１１３の作製により、（＋）Ｘ側の妻壁８０が完成する。そして、移送側壁単位７１の移送の際と同様、妻壁用レール１６に沿って、第一移送妻壁単位１１１、第二移送妻壁単位１１２及び第三移送妻壁単位１１３を一体的に（＋）Ｙ側に移送する（Ｓ１５）。この移送で、第一移送妻壁単位１１１、第二移送妻壁単位１１２及び第三移送妻壁単位１１３は、いずれも、妻壁用レール１６上のそれぞれの設置領域に移送される。
【００６２】
第一移送妻壁単位１１１、第二移送妻壁単位１１２及び第三移送妻壁単位１１３の移送が終了すると（Ｓ１５）、図１４に示すように、第一移送妻壁単位１１１及び第三移送妻壁単位１１３を構成する壁ブロック５０の（−）Ｘ側のスキンパネル５１に、（−）Ｘ側に突出し、Ｙ方向の相互間隔が一対のスキンパネル５１の相互間隔と同じ一対の側壁接続パネル６８を接合する。なお、この側壁接続パネル６８には、複数のボルト孔６８ａが予め形成されている。そして、第一移送単位１０１を構成する一対の移送側壁単位７１の（＋）Ｘ側に設けられている揺動可能な接続パネル６６のボルト孔６６ａと、各移送妻壁単位１１１，１１３の側壁接続パネル６８のボルト孔６８ａとに、ボルト５１ｂを挿通し、このボルト５１ｂにナット５１ｃを捩じ込んで、第一移送単位１０１を構成する一対の移送側壁単位７１と第一及び第三移送妻壁単位１１１，１１３とを接続する。
【００６３】
なお、ここでは、各移送妻壁単位１１１，１１２，１１３の移送が終了してから、第一移送妻壁単位１１１及び第三移送妻壁単位１１３を構成する壁ブロック５０に側壁接続パネル６８を接合しているが、実際には、第一移送妻壁単位１１１及び第三移送妻壁単位１１３を構成する壁ブロック５０に予め側壁接続パネル６８を接合しておく。さらに、ステップ９における第一、第二及び第三移送単位１０１，１０２，１０３の移送の際、前述したように、これらの移送単位を構成する移送側壁単位７１をそれぞれの設置領域に至る直前に置いておき、この状態で、各移送妻壁単位１１１，１１２，１１３を移送して、各移送妻壁単位１０１，１０２，１０３の移送過程での側壁接続パネル６８と、第一移送単位１０１の（＋）Ｘ側の端部との間での干渉を避ける。次に、改めて、第一、第二及び第三移送単位１０１，１０２，１０３を（＋）Ｘ側に移送して、これらの移送単位を構成する移送側壁単位７１をそれぞれの設置領域に位置させる。そして、第一移送単位１０１を構成する一対の移送側壁単位７１に設けられている揺動可能な接続パネル６６と、各移送妻壁単位１１１，１１２，１１３の側壁接続パネル６８とを前述と同様に接続する。
【００６４】
次に、図１０に示すように、（−）Ｘ側の妻壁基礎１３上に、９つの壁ブロック５０を組み合わせて（−）Ｘ側の妻壁８０を作製する（Ｓ１６）。この際、既に完成している（＋）Ｘ側の妻壁８０や一対の側壁７０とのレベルを合わせるため、（−）Ｘ側の妻壁８０を構成する最下段の壁ブロック５０を油圧ジャッキ等で持ち上げ、（−）Ｘ側の妻壁基礎１３の上面とこの最下段の壁ブロック５０の下面との間に、レール１５，１６（図１５，１６）の高さとスライドベース３３の高さとを合わせた分の間隔を確保する。そして、油圧ジャッキ等で持ち上がられている最下段の壁ブロック５０の上に第二段目の壁ブロック５０、さらに最上段の壁ブロック５０を積み上げる。この壁ブロック５０を積み上げる過程で、壁ブロック５０と側壁用ベント２１とをタイバー等を用いて仮接続する。
【００６５】
以上のように、本実施形態では、（−）Ｘ側の妻壁基礎１３に沿って側壁用ベント２１を設置しているため、（−）Ｘ側の妻壁８０を構成する壁ブロック５０を移送させなくても、（−）Ｘ側の妻壁基礎１３上で、（−）Ｘ側の妻壁８０を作製することができる。
【００６６】
以上で、（−）Ｘ側の妻壁８０が完成する。そして、（＋）Ｘ側の妻壁８０と一対の側壁７０とを接続した際とほぼ同様に、（−）Ｘ側の妻壁８０と一対の側壁７０とを接続する。（−）Ｘ側の妻壁８０と一対の側壁７０との接続が終了すると、（−）Ｘ側の妻壁８０と側壁用ベント２１との仮接続を断つ。
【００６７】
次に、各ベント２１，２２及び外部足場２５を撤去する（Ｓ１７）。
【００６８】
最後に、各レール１５，１６を撤去してから、側壁７０及び妻壁８０を基礎１１，１３上に固定する、つまり各移送単位を対応する基礎１１，１３上に固定する（Ｓ１８）。
【００６９】
レール１５，１６の撤去の際には、図１７に示すように、まず、基礎１１，１３の屋内側及び屋外側のそれぞれにＨ型鋼等の台３９を置く。次に、一対の側壁７０の最下断の壁ブロック５０及び（＋）Ｘ側の妻壁８０の最下段の壁ブロック５０に設けられているジャッキアップ補助材６２とこの台３９との間に、油圧ジャッキ３７を置いて、この油圧ジャッキ３７及び（−）Ｘ側の妻壁８０を持ち上げている油圧ジャッキの油圧シリンダ内にオイルを送り込み、一対の側壁７０及び一対の妻壁８０を一体的に僅かに持ち上げる。
【００７０】
次に、側壁用レール１５と側壁７０との上下方向の間、及び妻壁用レール１６と（＋）Ｘ側の妻壁８０との上下方向の間から横移動ジャッキ３０及び独立スライドベースを取り除く。続いて、各油圧ジャッキ３７の油圧シリンダからオイルを抜き、側壁用レール１５上に側壁７０を直接載せると共に、妻壁用レール１６上に（＋）Ｘ側の妻壁８０を直接載せる。側壁用レール１５上に側壁７０が載り、さらに、妻壁用レール１６上に（＋）Ｘ側の妻壁８０が載って、これらを持ち上げていた油圧ジャッキ３７に対して各壁７０，８０の荷重がかからなくなると、油圧ジャッキ３７の下方の台３９を引抜く。但し、油圧ジャッキ３７自体はそのまま残しておく。続いて、各油圧ジャッキ３７の油圧シリンダ内にオイルを送り込み、再び、一対の側壁７０及び一対の妻壁８０を一体的に僅かに持ち上げる。
【００７１】
そして、図１８に示すように、基礎１１，１３上の各レール１５，１６を引抜き、基礎１１，１３の上から各レール１５，１６を撤去する。
【００７２】
各レール１５，１６の撤去が終了すると、全ての油圧ジャッキ３７の油圧シリンダ内からオイルを抜き、一対の側壁７０をそれぞれ側壁基礎１１の上に置くと共に、一対の妻壁８０をそれぞれ妻壁基礎１３上に置く。次に、各壁ベース６１からジャッキアップ補助材６２を撤去する。
【００７３】
最後に、各側壁７０の下端に設けられている壁ベース６１を介して、側壁基礎１１にアンカーボルト９９を打ち込み、各側壁７０を側壁基礎１１に固定する。同様に、各妻壁８０の下端に設けられている壁ベース６１を介して、妻壁基礎１３にアンカーボルト９９を打ち込み、各妻壁８０を妻壁基礎１３に固定する。
【００７４】
以上で、被対象物１を囲む建屋Ｈ（図１１）が完成する。なお、ジャッキアップ補助材６２の撤去は、壁７０，８０が基礎１１，１３上に置かれた後であれば、いずれのタイミングで行ってもよい。また、側壁仮設基礎１２及び妻壁仮設基礎１４は、いずれも、レール１５，１６を設置するために設けたもので、レール１５，１６の撤去後は基本的に不要になるため、これら側壁仮設基礎１２及び妻壁仮設基礎１４をさらに撤去してもよい。
【００７５】
以上のように、本実施形態では、一対の側壁７０及び（＋）側の妻壁８０をレール１５，１６上の仮設領域で作製した後、一対の側壁７０及び（＋）側の妻壁８０をレール１５，１６に沿ってこれらの設置領域まで移送しているため、側壁７０及び（＋）側の妻壁８０の設置領域の屋内側及び屋外側のそれぞれに広い作業領域を確保できなくても、建屋Ｈを建設することができると共に、壁７０，８０の設置領域の近傍での作業時間を極めて短くすることができる。
【００７６】
また、本実施形態では、側壁を構成する複数の部品が壁ブロック５０であるため、仮設領域への搬送性を高めることができると共に、レール１５，１６上の仮設領域での施工性を高めることができる。しかも、この壁ブロック５０は、一対のスキンパネル５１と、一対のスキンパネル５１相互連結するフランジ５２，５３，５６とを有して構成しているため、壁ブロック５０の剛性向上と軽量化の両立を図ることができる。
【００７７】
なお、本実施形態では、複数の移送側壁単位７１をＸ方向に並べ相互に接続することで、一つの側壁７０を形成しているが、一つの移送側壁単位７１で一つの側壁７０を形成するようにしてもよい。また、本実施形態では、複数の移送妻壁単位１１１，１１２，１１３をＹ方向に並べて相互に接続することで、一つの妻壁８０を形成しているが、一つの移送妻壁単位で一つの妻壁８０を形成するようにしてもよい。但し、これらの場合、本実施形態よりも側壁用レール１５及び妻壁用レール１６の長さを長くする必要がある。
【００７８】
また、本実施形態では、（−）Ｘ側の妻壁８０をその設置領域で作製しているが、この妻壁８０も（＋）Ｘ側の妻壁８０と同様、複数の移送妻壁単位１１１，１１２，１１３のそれぞれを仮設領域で作製した後、各移送妻壁単位１１１，１１２，１１３をＹ方向に並べ相互に接続して、一つの妻壁８０を形成した後、この妻壁８０を設置領域に移送してもよい。
【００７９】
また、以上の各壁ブロック５０の一対のスキンパネル５１間は、複数のフランジ５２,５３,５６で接合されているものの、基本的に空洞であるが、この一対のスキンパネル５１間にコンクリートを流し込んで、壁ブロック５０をＳＣ（鋼板コンクリート）構造体にして、この壁ブロック５０を強固な遮蔽壁にしてもよい。例えば、最下段の壁ブロック５０の一対のスキンパネル５１間にコンクリートを流し込んでもよい。また、屋根９０を構成する屋根パネル９３上に型枠を設け、この型枠内にコンクリートを打設し、屋根９０もＳＣ構造体にしてもよい。
【００８０】
また、以上の実施形態の建屋Ｈの施工は、壁の設置領域の屋内側及び屋外側に広い作業領域を確保できない場合のみならず、有害物質や危険物を遮蔽する場合に適用してもよい。
【符号の説明】
【００８１】
１：被対象物、１１：側壁基礎、１２：側壁仮設基礎、１３：妻壁基礎、１４：妻壁仮設基礎、１５：側壁用レール、１６：妻壁用レール、２１：側壁用ベント（支保工）、２２：妻壁用ベント（支保工）、２５：外部足場、３０：横移動ジャッキ、３７：油圧ジャッキ、５０：壁ブロック、５１：スキンパネル、５２，５３，５６：フランジ、７０：側壁、７１：移送側壁単位、８０：妻壁、８１：移送妻壁単位、９０：屋根、９１：移送屋根単位、９９：アンカーボルト、１０１：第一移送単位、１０２：第二移送単位、１０３：第三移送単位、１１１：第一移送妻壁単位、１１２：第二移送妻壁単位、１１３：第三移送妻壁単位、Ｈ：建屋
【図１】
0005839164.tif 000002
【図２】
0005839164.tif 000003
【図３】
0005839164.tif 000004
【図４】
0005839164.tif 000005
【図５】
0005839164.tif 000006
【図６】
0005839164.tif 000007
【図７】
0005839164.tif 000008
【図８】
0005839164.tif 000009
【図９】
0005839164.tif 000010
【図１０】
0005839164.tif 000011
【図１１】
0005839164.tif 000012
【図１２】
0005839164.tif 000013
【図１３】
0005839164.tif 000014
【図１４】
0005839164.tif 000015
【図１５】
0005839164.tif 000016
【図１６】
0005839164.tif 000017
【図１７】
0005839164.tif 000018
【図１８】
0005839164.tif 000019
【図１９】
0005839164.tif 000020